(57)【要約】【課題】  コンテンツを受取った車載端末側で自律的にスケジュールを組むことによって、次々と配信されるニュース動画を表示することを可能とする。  【解決手段】  列車１−１，１−２内に搭載された情報表示端末１０−１，１０−２と、車両が駅に停車時に、該駅に設けられた無線ＬＡＮを介して接続されるコンテンツサーバ４０とを有する情報表示システムにおける情報表示端末のコンテンツ表示方法であって、コンテンツサーバより配信された各コンテンツ及び該各コンテンツの更新時刻及び再生時間を記憶しておき、コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択する。【選択図】    図１
2005149188.tif 000002
【特許請求の範囲】
【請求項１】
車両内に搭載された情報表示端末と、車両が駅に停車時に、該駅に設けられた無線ＬＡＮを介して接続されるコンテンツ配信サーバとを有する情報表示システムにおける情報表示端末のコンテンツ表示方法であって、
前記コンテンツ配信サーバより配信された各コンテンツ及び該各コンテンツの更新時刻及び再生時間を記憶しておき、
コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択することを特徴とするコンテンツ表示方法。
【請求項２】
車両内に搭載された情報表示端末と、車両が駅に停車時に、該駅に設けられた無線ＬＡＮを介して接続されるコンテンツ配信サーバとを有する情報表示システムにおける情報表示端末のコンテンツ表示方法であって、
前記コンテンツ配信サーバより配信された各コンテンツ、該各コンテンツの重要度による評価値及びコンテンツの再生時間を記憶しておき、
コンテンツ再生時に、再生対象となるコンテンツを選択する際に、コンテンツの重要度による評価値及びコンテンツの再生時間の合計値と所定の基準時間との時間差による評価値に基づいてコンテンツを選択することを特徴とするコンテンツ表示方法。
【請求項３】
前記コンテンツの重要度は、時間の経過と共に低下するようにしたことを特徴とする請求項２に記載のコンテンツ表示方法。
【請求項４】
前記所定の基準時間が平均乗車時間であることを特徴とする請求項１乃至３のいずれかに記載のコンテンツ表示方法。
【請求項５】
車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、
前記コンテンツ配信サーバより配信された各コンテンツ及び該各コンテンツの更新時刻及び再生時間を記憶するステップと、
コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択するステップと、
をコンピュータに実行させるためのコンテンツ表示プログラム。
【請求項６】
車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、
前記コンテンツ配信サーバより配信された各コンテンツ、該各コンテンツの重要度による評価値及びコンテンツの再生時間を記憶するステップと、
コンテンツ再生時に、再生対象となるコンテンツを選択する際に、コンテンツの重要度による評価値及びコンテンツの再生時間の合計値と所定の基準時間との時間差による評価値に基づいてコンテンツを選択するステップと、
をコンピュータに実行させるためのコンテンツ表示プログラム。
【請求項７】
前記コンテンツの重要度は、時間の経過と共に低下するようにしたことを特徴とする請求項６に記載のコンテンツ表示プログラム。
【発明の詳細な説明】
【技術分野】
【０００１】
本発明は、列車やバス等の公共の車両に搭載された情報表示端末に用いるコンテンツ表示方法及びコンテンツ表示プログラムに関する。
【背景技術】
【０００２】
従来の列車やバス等の公共の車両に搭載された情報表示システムでは、コンテンツサーバから、車内に搭載された車載端末に対し、公衆移動通信網や駅に停車したときに高速な無線ＬＡＮシステムを使用して情報を配信していた。
また、コンテンツの表示方法としては、情報表示端末は、端末に蓄積されたコンテンツを予め定められたスケジュールに従って表示していた。
【非特許文献１】特許庁標準技術集電子・ネット広告「電車車載端末を利用したデジタル広告配信システム」http://www.jpo.go.jp/shiryou/s_sonota/hyooujun_gijutsu/net_koukoku/023.html
【発明の開示】
【発明が解決しようとする課題】
【０００３】
現状の列車やバス等の公共の乗物に搭載された情報表示システムでは、既に端末に蓄積された広告コンテンツを一定時間間隔で繰り返し表示されているが、利用者からは、リアルタイムな情報(例えば、天気予報やニュースなど)も閲覧したいという要望が挙がっている。その要望に答えるため、天気予報やニュースを文字や静止画で表示する方法が行なわれている。この方法では、その情報の表示時間を決め、それを表示するスケジュール枠さえ確保しておけば、従来の技術で対応可能である。
【０００４】
しかし、ニュースを動画で流そうとすると以下の問題が生じる。すなわち、
（１）動画コンテンツは静止画に比べてコンテンツサイズが大きい。従って、低速な公衆移動通信網を使用する場合でも、駅に停車したときに高速な無線ＬＡＮを使用する場合でも、全ての列車に配信されるまでに時間差が生じることとが予想される。つまり、コンテンツサーバ側では、列車側にいつコンテンツが到着するかどうかを把握することは不可能であるということである。
【０００５】
（２）ニュースの動画は、ＴＶのＣＭのように１５秒とか３０秒とかで規格化することが困難で、各ニュースの動画の長さを統一することは困難であることが予想される。つまり、配信される各ニュースの長さはばらばらであるということであり、予めスケジュール枠を確保し、そこに当てはめるという方法を適用するのは困難であることを意味する。
【０００６】
以上の問題により、配信サーバ側で表示スケジュールを決定し、各列車に表示スケジュールを配信して、そのスケジュールに従って表示をするという従来方法では、動画の配信されたてのニュースを電車内で表示することに対応することは困難である。
【０００７】
本発明はこのような事情に鑑みてなされたものであり、コンテンツを受取った車載端末側で自律的にスケジュールを組むことによって、次々と配信されるニュース動画を表示することができるコンテンツ表示方法及びコンテンツ表示プログラムを提供することを目的としている。
【課題を解決するための手段】
【０００８】
上記目的を達成するために請求項１に記載の発明は、車両内に搭載された情報表示端末と、車両が駅に停車時に、該駅に設けられた無線ＬＡＮを介して接続されるコンテンツ配信サーバとを有する情報表示システムにおける情報表示端末のコンテンツ表示方法であって、前記コンテンツ配信サーバより配信された各コンテンツ及び該各コンテンツの更新時刻及び再生時間を記憶しておき、コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択することを特徴とする。
【０００９】
また、請求項２に記載の発明は、車両内に搭載された情報表示端末と、車両が駅に停車時に、該駅に設けられた無線ＬＡＮを介して接続されるコンテンツ配信サーバとを有する情報表示システムにおける情報表示端末のコンテンツ表示方法であって、前記コンテンツ配信サーバより配信された各コンテンツ、該各コンテンツの重要度による評価値及びコンテンツの再生時間を記憶しておき、コンテンツ再生時に、再生対象となるコンテンツを選択する際に、コンテンツの重要度による評価値及びコンテンツの再生時間の合計値と所定の基準時間との時間差による評価値に基づいてコンテンツを選択することを特徴とする。
【００１０】
また、請求項３に記載の発明は、請求項２に記載のコンテンツ表示方法において、前記コンテンツの重要度は、時間の経過と共に低下するようにしたことを特徴とする。
【００１１】
また、請求項４に記載の発明は、請求項１乃至３のいずれかに記載のコンテンツ表示方法において、前記所定の基準時間が平均乗車時間であることを特徴とする。
【００１２】
また、請求項５に記載の発明は、車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、前記コンテンツ配信サーバより配信された各コンテンツ及び該各コンテンツの更新時刻及び再生時間を記憶するステップと、コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択するステップとをコンピュータに実行させるためのコンテンツ表示プログラムを要旨とする。
【００１３】
また、請求項６に記載の発明は、車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、前記コンテンツ配信サーバより配信された各コンテンツ、該各コンテンツの重要度による評価値及びコンテンツの再生時間を記憶するステップと、コンテンツ再生時に、再生対象となるコンテンツを選択する際に、コンテンツの重要度による評価値及びコンテンツの再生時間の合計値と所定の基準時間との時間差による評価値に基づいてコンテンツを選択するステップとをコンピュータに実行させるためのコンテンツ表示プログラムを要旨とする。
【００１４】
また、請求項７に記載の発明は、請求項６に記載のコンテンツ表示プログラムにおいて、前記コンテンツの重要度は、時間の経過と共に低下するようにしたことを特徴とする。
【発明の効果】
【００１５】
本発明によれば、公共の乗物に搭載された情報表示システムに対し、無線ＬＡＮを通じてコンテンツの配信を行う場合に、コンテンツを受取った車載端末側で自律的にスケジュールを組むことによって、次々と配信されるニュース動画を効果的に表示することを可能となる。
【発明を実施するための最良の形態】
【００１６】
以下、本発明の実施形態を、図面を参照して詳細に説明する。本発明が適用される情報表示システムの構成を図１に示す。同図において、情報表示システムは、配信するコンテンツを保持するコンテンツサーバ４０と、駅または停留所に設置された無線ＬＡＮアクセスポイント２０−１，２０−２、コンテンツサーバ４０と無線ＬＡＮアクセスポイント２０−１，２０−２を結ぶネットワーク３０と、列車１−１，１−２に設置された情報表示端末１０−１，１０−２とを有している。
【００１７】
本発明の実施例を実現するためのコンテンツサーバ４０の構成例を図２に示す。
コンテンツサーバ４０は、通信管理部４００、蓄積部４０１、コンテンツ受信部４０２を有している。コンテンツサーバ４０は、本発明のコンテンツ配信サーバに相当する。
通信管理部４００は、情報表示端末１０−１，１０−２からのポーリングを受付け、およびコンテンツ送信を行う。蓄積部４０１は、情報表示装置１０−１，１０−２に送られるべきコンテンツを保持する。コンテンツ受信部４０２は、新たなコンテンツを受信し、蓄積部４０１に保持する。
【００１８】
図１において列車１−１に搭載された情報表示端末１０−１の構成を図３に示す。なお、情報表示端末１０−２も情報表示端末１０−１と同一構成である。同図において、情報表示端末１０−１は、無線ＬＡＮアンテナ１００と、リクエスト送信部１０１と、コンテンツ受信部１０２と、スケジュール生成部１０３と、蓄積部１０４と、コンテンツ表示部１０５と、表示装置１０６とを有している。
【００１９】
無線ＬＡＮアンテナ１００は、列車１−１が駅に停車したときに、駅に設置された無線ＬＡＮアクセスポイント２０−１，２０−２を通して、コンテンツサーバ４０との通信を確立する。
リクエスト送信部１０１は、コンテンツサーバ４０との通信が確立されたときに、コンテンツサーバ４０ヘリクエストを送信する。コンテンツ受信部１０２は、コンテンツサーバ４０からコンテンツを受信する。
【００２０】
スケジュール生成部１０３は、新たなコンテンツを受信したときに、スケジュールを新たに生成する。蓄積部１０４は、コンテンツサーバ４０から受信したコンテンツを蓄える。コンテンツ表示部１０５は、スケジュール生成部１０３が生成したスケジュールに従って、コンテンツを表示装置１０６に表示する。
【００２１】
ある駅に到着してから発車するまでのコンテンツサーバ４０と情報表示端末１０−１との間の処理シーケンスを図４及び図５に示す。
本発明のコンテンツ表示方法の第１実施形態として、新たなコンテンツが到着した場合にどのようにスケジュールが生成されるかを示す。
情報表示端末１０−１のリクエスト送信部１０１は、無線ＬＡＮアンテナ１００を通して、無線ＬＡＮのセッションが確立するか否かを一定時間間隔でボーリングしており（Ｓ１０１、Ｓ１０２）、セッションが確立すると駅に到着したと判断する。
【００２２】
無線ＬＡＮアクセスポイント２０−１が設置されたＡ駅に、情報表示端末１０−１を搭載した列車１−１が到着すると、情報表示端末１０−１のリクエスト送信部１０１は前回、コンテンツサーバ４０と通信が確立した時刻（１３：１０）を保持しており、その時刻をコンテンツサーバ４０に送信する（Ｓ１０３）。
コンテンツサーバ４０の通信管理部４００は、受信した時刻から、その時刻以降更新されたコンテンツリストを蓄積部４０１から検索する。
【００２３】
蓄積部４０１の内容を図６に示す。その結果、時刻１３：１５に更新されたコンテンツd-01を含むコンテンツリストの差分が検索され、情報表示端末１０−１に送信される（Ｓ１０４）。この場合は、送信すべきコンテンツは、コンテンツd-01しかないので（Ｓ１０５）、情報表示端末１０−１は、コンテンツd-01のＩＤである「d-01」をコンテンツサーバに送信する（Ｓ１０６、Ｓ１０７、Ｓ１０９）。そして、情報表示端末１０−１は、コンテンツd-01の受信を行う（Ｓ１１０）。
【００２４】
Ａ駅停車中にコンテンツの受信が完了（Ｓ１１２）した場合、蓄積部１０４の配信完了フラグを更新（Ｓ１１５）する。蓄積部４７の内容を図７に示す。次のコンテンツの受信を行う（Ｓ１０５）、しかし、受信すべきコンテンツはない（Ｓ１０６）ので、表示スケジュールを再編する（Ｓ１１４）。  
表示スケジュールの再編方法については、例えば、平均乗車時間を基準にするという方法がある。スケジュール生成部１０３は、平均乗車時間が９分であれば、９分でコンテンツの再生が一巡するようなスケジュールを生成する。
【００２５】
本実施形態では、コンテンツd-01を受信する前は、コンテンツがa-01→ b-01 → c-01を一巡とする一巡９分のスケジュールで繰り返していた。ここで、コンテンツd-01が到着したため、スケジュールの再編を行う。本実施形態の場合、全てのコンテンツの重要度は一緒なので、古い順にコンテンツ再生のスケジュールから外していく。そして、コンテンツ再生のスケジュールの一巡時間が平均乗車時間に一番近くなるスケジュールを採用する。
【００２６】
本実施形態では、コンテンツa-01をスケジュールから外して、コンテンツ再生順序がb-01→c-01→d-01という候補ができるが、一巡は１０分である。そこで、コンテンツb-01をはずして、c-01→ d-01という候補を作ると一巡が６分５０秒である。平均乗車時間との差分を取ると、前者が１分、後者は２分１０秒であるので、前者のスケジュールを採用する。
【００２７】
スケジュールが再編された場合、コンテンツ表示部１０５に通知をし、新たなスケジュールで再生を開始するが、もし、その時にコンテンツa-01を再生していたとしても、途中で打ちきることはせずに、最後まで再生を行い、コンテンツb-01が再生開始された時点で、新たなスケジュール(コンテンツa-01が含まれないスケジュール)に移行する。
【００２８】
また、本実施形態で、Ａ駅停車中に、コンテンツd-01の受信が完了せずに発車してしまった場合、コンテンツd-01の配信完了フラグがTrueにならない。配信完了フラグがTrueでないコンテンツは、スケジュールに入る資格はないので、この場合には、スケジュールの再編は行なわれず、次の駅までa-01→b-01→c-01のスケジュールが保たれる。
【００２９】
本発明のコンテンツ表示方法の第２実施形態として、重要度が異なるコンテンツがコンテンツサーバ４０より到着した場合にどのようにスケジュールが生成されるかを示す。
第１実施形態と同じ状況で、コンテンツd-01の送信が完了したものとする。ただし、コンテンツa-01の重要度が１(高い)となっていたとする。蓄積部１０４の内容を図８に示す。この場合は、a-01→b-01 → c-01のスケジュールで一巡していたが、そこにコンテンツd-01が加わると、古いコンテンツから消していくが、コンテンツa-01は、重要なニュースのため重要度が１に設定されているとする。
そこで、コンテンツb-01を先にスケジュールからはずし、a-01→c-01→d-01というスケジュールを生成する。
【００３０】
重要度が高いコンテンツをいつまで再生するかという問題が生じるが、一定時間経過すると重要度が１つずつ下がっていくようにルールを設定することにより解決できる。例えば、２時間経過すると、重要度が１下がるということにすると、コンテンツa-01は１４：５５には、重要度が３になることになり、それ以降に重要度が３と同じか、それより高いコンテンツが配信された場合に、スケジュールから外れることとなる。
【００３１】
本発明のコンテンツ表示方法の第３実施形態として、同じＩＤを有するコンテンツが到着した場合にどのようにスケジュールが生成されるかを示す。
第１実施形態と同じ状況で、コンテンツd-01ではなく、コンテンツa-Olの更新情報であるコンテンツa-02が到着したものとする。蓄積部１０４の内容を図９に示す。このようなコンテンツの例としては、スポーツの途中経過などが挙げられ、更新されたコンテンツが到着すると、前のコンテンツの価値がなくなってしまうものである。
この場合は、コンテンa-02の配信が完了した時点で、a-01→01→ c-01 のスケジュールが、a-02→b-01→c-01というスケジュールに変更される。
【００３２】
コンテンツa-01が再生されていた場合のスケジュールの切り替え方法であるが、コンテンツa-01の再生が終わるまで待つ場合と、コンテンツa-01の再生を途中で打切ってコンテンツa-02の再生を始める方法がある。
また、コンテンツa-01, a-02の重要度によって前者と後者を使い分ける方法もある。コンテンツa-01,a-02が重要なニュースであれば、速報性を重視し、すぐに打切って最新のコンテンツa-02を再生するが、それほど重要でなければ、コンテンツa-Olの再生が終了してから、スケジュールを切り替えるということである。
【００３３】
なお、図４及び図５に示した情報表示端末の機能を実現するためのコンテンツ表示プログラムをコンピュータ読み取り可能な記録媒体に記録して、この記録媒体に記録されたプログラムをコンピュータシステムに読み込ませ、実行するようにしてもよい。
【００３４】
このコンテンツ表示プログラムは、車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、前記コンテンツ配信サーバより配信された各コンテンツ及び該各コンテンツの更新時刻及び再生時間を記憶するステップと、コンテンツ再生時に、再生対象となるコンテンツを選択する際に、前記更新時刻が新しいコンテンツを優先的に選択し、かつコンテンツの再生時間の合計値が所定の基準時間に最も近くなるコンテンツの組み合せを選択するステップとを有する。
【００３５】
また、上記コンテンツ表示プログラムは、車両内に搭載された情報表示端末と、車両が駅に停車時に、該駅に設けられた無線ＬＡＮを介して接続されるコンテンツ配信サーバとを有する情報表示システムにおける情報表示端末により実行されるコンテンツ表示プログラムであって、前記コンテンツ配信サーバより配信された各コンテンツ、該各コンテンツの重要度による評価値及びコンテンツの再生時間を記憶するステップと、コンテンツ再生時に、再生対象となるコンテンツを選択する際に、コンテンツの重要度による評価値及びコンテンツの再生時間の合計値と所定の基準時間との時間差による評価値に基づいてコンテンツを選択するステップとを有する。
【００３６】
前記コンテンツの重要度は、時間の経過と共に低下するようにし設定される。
【００３７】
なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００３８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００４０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４１】
【図１】本発明が適用される情報表示システムの構成を示すブロック図。
【図２】図１に示した情報表示システムにおけるコンテンツサーバの構成を示すブロック図。
【図３】図１に示した情報表示システムにおける情報表示端末の構成を示すブロック図。
【図４】図１に示した情報表示システムにおけるコンテンツサーバと情報表示端末との間の処理シーケンスを示すフローチャート。
【図５】図１に示した情報表示システムにおけるコンテンツサーバと情報表示端末との間の処理シーケンスを示すフローチャート。
【図６】図１に示した情報表示システムにおけるコンテンツサーバの蓄積部の内容を示す図。
【図７】図１に示した情報表示システムにおける情報表示端末の蓄積部の内容を示す図。
【図８】図１に示した情報表示システムにおける情報表示端末の蓄積部の内容を示す図。
【図９】図１に示した情報表示システムにおける情報表示端末の蓄積部の内容を示す図。
【符号の説明】
【００４２】
１−１，１−２…列車
１０−１，１０−２…情報表示端末
２０−１，２０−２…無線ＬＡＮアクセスポイント
３０…ネットワーク
４０…コンテンツサーバ
１００…無線ＬＡＮアンテナ
１０１…リクエスト送信部
１０２…コンテンツ受信部
１０３…スケジュール生成部
１０４…蓄積部
１０５…コンテンツ表示部
１０６…表示装置
４００…通信管理部
４０１…蓄積部
４０２…コンテンツ受信部
【図１】
2005149188.tif 000003
【図２】
2005149188.tif 000004
【図３】
2005149188.tif 000005
【図４】
2005149188.tif 000006
【図５】
2005149188.tif 000007
【図６】
2005149188.tif 000008
【図７】
2005149188.tif 000009
【図８】
2005149188.tif 000010
【図９】
2005149188.tif 000011